(57)【特許請求の範囲】
【請求項１】
コンクリート製品に設けたシースへＰＣ鋼線を挿通し、ＰＣ鋼線の一端をコンクリート製品の一端に支持した定着具に固定し、ＰＣ鋼線の他端をコンクリート製品の他端に支持した定着具と複数のブロツクとの各鋼線挿通孔を貫通してアクチユエータに接続し、該アクチユエータにより緊張力を付与するＰＣ鋼線の曲げ上げ緊張装置であつて、前記ブロツクは横断面円形で縦断面台形の単一構成でかつそれ自身に単一の鋼線挿通孔を設けられ、前記ブロツクの両端面は鋼線挿通孔の中心軸線に関して互いに反対側へ傾斜され、前記鋼線挿通孔の両端側は内径を拡大された大径円筒孔とし、曲げ上げ装置でのＰＣ鋼線の摩擦抵抗を減少できるようになつている、ＰＣ鋼線の曲げ上げ緊張装置。
【発明の詳細な説明】
【０００１】
【発明の属する技術分野】
本発明は狭隘な場所でも緊張作業が可能なＰＣ鋼線の曲げ上げ緊張装置に関するものである。
【０００２】
【従来の技術】
長さ数１０メートルにも及ぶ橋桁などのコンクリート製品は、限られた工場の屋外敷地内で長手方向に並べられており、各コンクリート製品の間の通路幅は約４０ｃｍしか確保できない場合がある。上述のようなコンクリート製品のシースへＰＣ鋼線を通したうえＰＣ鋼線に引張荷重を加える場合に、通路に配置したアクチユエータにより、ＰＣ鋼線の端末をそのまま真直ぐに引つ張ることができない場合がある。つまり、図３に示すように、数１０ｍもの長尺なコンクリート製品２のシースへ通したＰＣ鋼線に引張荷重を加えると、ＰＣ鋼線の伸びは数１０ｃｍにも及ぶから、僅か幅Ｗが４０ｃｍ程度の通路ではアクチユエータ９が隣りのコンクリート製品２Ａに当たり、それ以上ＰＣ鋼線６を引つ張ることができない。
【０００３】
【発明が解決しようとする課題】
本発明の課題は上述の問題に鑑み、ＰＣ鋼線の端末を真直ぐでなく、湾曲させながらアクチユエータにより引き出すことにより、狭隘な場所でも緊張作業を可能にするＰＣ鋼線の曲げ上げ緊張装置を提供することにある。
【０００４】
【課題を解決するための手段】
上記課題を解決するために、本発明の構成はコンクリート製品に設けたシースへＰＣ鋼線を挿通し、ＰＣ鋼線の一端をコンクリート製品の一端に支持した定着具に固定し、ＰＣ鋼線の他端をコンクリート製品の他端に支持した定着具と複数のブロツクとの各鋼線挿通孔を貫通してアクチユエータに接続し、該アクチユエータにより緊張力を付与するＰＣ鋼線の曲げ上げ緊張装置であつて、前記ブロツクは横断面円形で縦断面台形の単一構成でかつそれ自身に単一の鋼線挿通孔を設けられ、前記ブロツクの両端面は鋼線挿通孔の中心軸線に関して互いに反対側へ傾斜され、前記鋼線挿通孔の両端側は内径を拡大された大径円筒孔とし、曲げ上げ装置でのＰＣ鋼線の摩擦抵抗を減少できるようにしたものである。
【０００５】
【発明の実施の形態】
本発明ではコンクリート製品の端部の定着具から引き出されるＰＣ鋼線の端末を、横断面円形で縦断面台形の複数のブロツクに挿通し、ＰＣ鋼線の端末を円弧状に湾曲させてアクチユエータに接続して引張荷重を加える。例えば、アクチユエータを吊り上げるなどして、ＰＣ鋼線の端末を通路方向へ湾曲させるか上方へ湾曲させれば、狭隘な通路でも緊張作業が可能になる。
【０００６】
【実施例】
図１は本発明のＰＣ鋼線６の緊張装置による作業状態を示す平面図である。ＰＣ鋼線６はコンクリート製品２を貫通するシース２ａへ挿通し、一方の端末６ａをコンクリート製品２の端部２ｂに支持した定着具３へ固定される。ＰＣ鋼線６の他方の端末６ｂはコンクリート製品２の端部２ｃに支持した定着具１３を貫通し、さらに本発明による多数のブロツク２１を貫通し、アクチユエータ９のラムチヤツクに結合される。アクチユエータ９はシリンダにピストンを嵌装して油室を形成してなり、油室へ入口９ａから油圧ポンプにより高圧油を供給すれば、ＰＣ鋼線６の端末６ｂが引つ張られる。
【０００７】
図２に示すように、ブロツク２１は円柱体の両端部を中心軸線３１に対して約６０°の斜面でカツトしてなり、中心軸線３１に沿つて鋼線挿通孔２３が設けられ、鋼線挿通孔２３の両端側の前記中央部分とほぼ同じ軸方向寸法の部分は鋼線挿通孔２３の前記中央部分と同心の大径円筒孔２２とされる。
【０００８】
上述の構成をなすブロツク２１にＰＣ鋼線６の端末６ｂを挿通したうえアクチユエータ９に接続し、端末６ｂに引張荷重を加えると、相隣接するブロツク２１の端面２１ａが相互に接し、端末６ｂが円弧状に湾曲される。ＰＣ鋼線６はブロツク２１の鋼線挿通孔２３に対し軸方向摺動可能であり、大径孔２２では隣接するブロツク２１の大径孔２２との間で湾曲可能である。
【０００９】
ＰＣ鋼線６に所要の引張荷重が加えられた時、ＰＣ鋼線６は定着具１３の３分割体からなるくさび（図１に示す定着具３の円錐状のくさび４と同じ）に挟持され、かつ円錐状の座へ強く押し付けられ、ＰＣ鋼線６に所定の引張荷重が維持される。そこで、出口９ｂからアクチユエータ９の油圧を解放し、アクチユエータ９とブロツク２１をＰＣ鋼線６から外す。
【００１０】
本発明によれば、多数のブロツク２１の両端面２１ａが中心軸線３１に対して互いに反対側へ斜めにカツトされ、該ブロツク２１に端末６ｂを挿通したうえアクチユエータ９により引張荷重を加えるものであるから、第１のブロツク２１がコンクリート製品２の端部２ｃの定着具１３に接し、続くブロツク２１が端面２１ａで相互に接し、結果としてＰＣ鋼線６が円弧状に湾曲される。したがつて、アクチユエータ９を例えば通路の長手方向へ引き出すか、クレーンなどで吊り上げることにより、狭隘な通路でもＰＣ鋼線の緊張作業が可能になる。
【００１１】
【発明の効果】
本発明は上述のように、コンクリート製品に設けたシースへＰＣ鋼線を挿通し、ＰＣ鋼線の一端をコンクリート製品の一端に支持した定着具に固定し、ＰＣ鋼線の他端をコンクリート製品の他端に支持した定着具と複数のブロツクとの各鋼線挿通孔を貫通してアクチユエータに接続し、該アクチユエータにより緊張力を付与するＰＣ鋼線の曲げ上げ緊張装置であつて、前記ブロツクは横断面円形で縦断面台形の単一構成でかつそれ自身に単一の鋼線挿通孔を設けられ、前記ブロツクの両端面は鋼線挿通孔の中心軸線に関して互いに反対側へ傾斜され、前記鋼線挿通孔の両端側は内径を拡大された大径円筒孔とし、曲げ上げ装置でのＰＣ鋼線の摩擦抵抗を減少できるようにしたから、前記ブロツクに前記ＰＣ鋼線の端末を挿通したうえアクチユエータにより緊張力を加えると、各ブロツクがコンクリート製品の他端の定着具とアクチユエータとの間で円弧状に並び、ＰＣ鋼線が円弧状に湾曲される。したがつて、アクチユエータを例えばクレーンで吊り上げることにより、狭隘な通路でもＰＣ鋼線の緊張作業が可能になる。
特に、前記鋼線挿通孔の両端側が拡大された大径円筒孔とされているので、曲げ上げ装置でのＰＣ鋼線の湾曲が拘束されず、アクチユエータによりＰＣ鋼線へ付与される緊張力が複数のブロツクの鋼線挿通孔とＰＣ鋼線との摩擦により減殺されることがなく、コンクリート製品の一端に固定した定着具へ完全に伝達され、コンクリート製品に高いプレストレスが与えられる。
【図面の簡単な説明】
【図１】本発明に係るＰＣ鋼線の緊張装置の側面断面図である。
【図２】同緊張装置に使用されるブロツクの側面断面図である。
【図３】従来のＰＣ鋼線の緊張装置の使用状態を示す平面図である。
【符号の説明】
２：コンクリート製品  ２ａ：シース  ３：定着具  ４：くさび  ６：ＰＣ鋼線  ６ａ：端末  ６ｂ：端末  ９：アクチユエータ  ９ａ：入口  ９ｂ：出口  １３：定着具  ２１：ブロツク  ２１ａ：端面  ２２：大径円筒孔  ２３：鋼線挿通孔  ３１：中心軸線
【図１】
0003755993.tif 000002
【図２】
0003755993.tif 000003
【図３】
0003755993.tif 000004